(57)【要約】【課題】着用中において経血等の体液の蒸散を抑制し、ムレや肌トラブルを効果的に防止し得る吸収性物品を提供すること。【解決手段】吸収性物品１は、肌対向面を形成する液透過性の表面層２、非肌対向面を形成する液不透過性の防漏層３、及び両層２，３間に介在された液保持性の液吸収層４０を具備する。表面層２と吸収層４０との間に、グリセリンを含む中間層１０を具備し、且つ表面層２の肌対向面側が凹凸形状をなしている。表面層２の前記凹凸形状を構成する凸部２１には、繊維が充填されている。表面層２の前記凹凸形状を構成する凹部２２は、該凹凸形状を構成する凸部２１に比して高密度である。【選択図】図２
2015104646.tif 000002
【特許請求の範囲】
【請求項１】
肌対向面を形成する液透過性の表面層、非肌対向面を形成する液不透過性の防漏層、及び両層間に介在された液保持性の液吸収層を具備する吸収性物品であって、
前記表面層と前記吸収層との間に、グリセリンを含む中間層を具備し、且つ前記表面層の肌対向面側が凹凸形状をなしている吸収性物品。
【請求項２】
前記表面層の前記凹凸形状を構成する凸部には、繊維が充填されている請求項１記載の吸収性物品。
【請求項３】
前記表面層の前記凹凸形状を構成する凸部は中空である請求項１記載の吸収性物品。
【請求項４】
前記表面層の前記凹凸形状を構成する凹部は、該凹凸形状を構成する凸部に比して高密度である請求項１〜３の何れか一項に記載の吸収性物品。
【請求項５】
前記表面層は、着用者の肌に近い側に位置する第１繊維層と、着用者の肌から遠い側に位置する第２繊維層とを有し、両繊維層が、部分的に形成された多数の接合部によって厚さ方向に一体化されており、該第１繊維層における、複数の該接合部どうし間に位置する部分が凸状に隆起して、前記凹凸形状の凸部を形成している請求項１〜３の何れか一項に記載の吸収性物品。
【請求項６】
前記防漏層は透湿性を有する請求項１〜５の何れか一項に記載の吸収性物品。
【発明の詳細な説明】
【技術分野】
【０００１】
本発明は、生理用ナプキン、パンティライナ（おりものシート）、使い捨ておむつ等の吸収性物品に関する。
【背景技術】
【０００２】
生理用ナプキン等の吸収性物品においては、液吸収層に吸収保持された経血等の体液が、体温によって肌対向面側から蒸発して水蒸気として着用者の肌側に排出され、その結果、着用中の吸収性物品の内部空間（着用者の肌と吸収性物品の肌対向面との間）がムレた状態となり、それによって、かゆみ、カブレ等の肌トラブルが生じるおそれがある。そこで、肌トラブルの軽減、防止を目的とした吸収性物品が種々提案されている。
【０００３】
例えば特許文献１には、吸収性物品の肌対向面を形成する表面層の非肌対向面側に配された部材、例えば、表面層に接する直下のトランスファーシート、あるいは液吸収層を包んでいるキャリアシート等に、ローションを塗工することが記載されており、また、ローション成分としてグリセリン等の多糖類を配合することも記載されている。尚、特許文献１記載の吸収性物品における表面層の肌対向面は凹凸形状をなしておらず、平坦となっている。特許文献１によれば、ローション加工を、吸収性物品の表面材やギャザーシート等の、着用者の肌に直接接触する面には施さずに、着用者の肌に直接接触しない面に施したことにより、着用時からローションが肌に付着せずに、液排泄時に滲み出してきたローションがカブレを軽減するとされている。
【０００４】
また特許文献２には、吸収性物品の脚部カフスの表面等、着用者の肌と直接接触する部位に、通常の接触、着用者の動き、体温により着用者の皮膚に移行可能なローションコーティングを施すことが記載されており、また、このローションコーティングに用いるローション組成物が、エモリエント及び該エモリエントのための固定化剤（グリセリンモノエステル等）を含むことも記載されている。
【先行技術文献】
【特許文献】
【０００５】
【特許文献１】特開２００４−８９３２２号公報
【特許文献２】特開２００１−３１４４４０号公報
【発明の概要】
【発明が解決しようとする課題】
【０００６】
特許文献１及び２記載の技術は、主として、吸収性物品の着用中にローション成分が着用者の肌に移行するように工夫し、そのローション成分自体によって肌のかゆみやカブレ等を軽減することを目的としたものであり、かゆみやカブレ等の肌トラブルの原因となる吸収性物品着用中のムレ、延いてはそのムレの原因となる体液の蒸散を抑制することを主たる目的としたものではない。着用中において経血の蒸散を抑制し、ムレや肌トラブルを効果的に防止し得る吸収性物品は未だ提供されていない。
【０００７】
従って本発明は、着用中において経血等の体液の蒸散を抑制し、ムレや肌トラブルを効果的に防止し得る吸収性物品に関する。
【課題を解決するための手段】
【０００８】
本発明は、肌対向面を形成する液透過性の表面層、非肌対向面を形成する液不透過性の防漏層、及び両層間に介在された液保持性の液吸収層を具備する吸収性物品であって、前記表面層と前記吸収層との間に、グリセリンを含む中間層を具備し、且つ前記表面層の肌対向面側が凹凸形状をなしている吸収性物品である。
【発明の効果】
【０００９】
本発明によれば、着用中において経血等の体液の蒸散を抑制し、ムレや肌トラブルを効果的に防止し得る吸収性物品が提供される。
【図面の簡単な説明】
【００１０】
【図１】図１は、本発明の吸収性物品の一実施形態である生理用ナプキンの肌対向面側（表面層側）を一部破断して示す平面図である。
【図２】図２は、図１のＩ−Ｉ線断面を模式的に示す断面図である。
【図３】図３（ａ）は、本発明に係る表面シートの一実施形態の肌対向面を模式的に示す斜視図、図３（ｂ）は、図３（ａ）に示す表面シートの縦断面を模式的に示す断面図である。
【図４】図４は、本発明に係る表面シートの他の実施形態の肌対向面を模式的に示す斜視図である。
【図５】図５は、本発明に係る表面シートの更に他の実施形態を模式的に示す断面図である。
【図６】図６（ａ）は、本発明に係る表面シートの更に他の実施形態の肌対向面を模式的に示す斜視図、図６（ｂ）は、図６（ａ）のＩＩ−ＩＩ線断面（縦断面）を模式的に示す断面図、図６（ｃ）及び図６（ｄ）は、それぞれ、図６（ａ）に示す表面シートの変形例の断面図（図６（ｂ）相当図）である。
【発明を実施するための形態】
【００１１】
以下、本発明の吸収性物品を、その好ましい実施形態に基づき図面を参照して説明する。図１及び図２には、本発明の吸収性物品の一実施形態である生理用ナプキンが示されている。本実施形態のナプキン１は、肌対向面を形成する液透過性の表面層としての表面シート２、非肌対向面を形成する液不透過性の防漏層としての裏面シート３、及び両層２，３間に介在された液保持性の液吸収層としての吸収性コア４０を有する、吸収体４を具備する。
【００１２】
本明細書において、肌対向面は、ナプキン１及びその構成部材（例えば吸収体４）における、着用状態において着用者の肌側に向けられる面（相対的に着用者の肌に近い側）であり、非肌対向面は、ナプキン１及びその構成部材における、着用状態において着用者の肌側とは反対側に向けられる面（相対的に着用者の肌から遠い側）である。
【００１３】
ナプキン１は、表面シート２、裏面シート３及び吸収体４を具備する吸収性本体５を備えている。ナプキン１（吸収性本体５）は、図１に示すように、着用時に着用者の液排泄部（膣口等）に対向配置される領域である排泄部領域Ａ、該排泄部領域Ａより着用者の腹側に配される前方領域Ｂ、及び該排泄部領域Ａよりも着用者の背中側に配される後方領域Ｃを有している。また、ナプキン１（吸収性本体５）は、着用時に着用者の前後方向に相当する縦方向Ｘとこれに直交する横方向Ｙとを有している。ナプキン１（吸収性本体５）の縦方向Ｘは、前方領域Ｂと後方領域Ｃとの間を排泄部領域Ａを介して延びる方向である。尚、ここでいう「着用時」は、通常の適正な着用位置（当該吸収性物品の正しい着用位置）が維持された状態を意味し、吸収性物品が該着用位置からずれた状態にある場合は含まない。
【００１４】
尚、排泄部対向部Ａは、本実施形態のナプキン１のようにウイング部を有する場合には、吸収性物品の長手方向（吸収性本体５の長手方向に同じ。図中のＸ方向）においてウイング部７を有する領域（ウイング部７の前後方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の長手方向の前端から数えて第１折曲線と第２折曲線とに囲まれた領域である。
【００１５】
表面シート２及び裏面シート３は、それぞれ、吸収体４よりも大きな寸法を有し、吸収体４の周縁から外方に延出し、それらの延出部において、接着剤、ヒートシール、超音波シール等の公知の接合手段によって互いに接合されて周縁シール部６を形成している。吸収体４は、前方領域Ｂから後方領域Ｃに亘って延在しており、平面視して縦方向Ｘに長い、角が丸みを帯びた略矩形形状をなしている。表面シート２及び裏面シート３と吸収体４との間は接着剤によって接合されていても良い。
【００１６】
吸収体４は、図２に示すように、液を吸収保持可能な吸収性コア４０とこれを被覆する液透過性のコアラップシート４１とを含んで構成されている。コアラップシート４１は、１枚の連続したシートであり、吸収性コア４０の肌対向面（表面シート２との対向面）の全域を被覆し、且つ吸収性コア４０の縦方向Ｘに沿う両側縁部から横方向Ｙの外方に延出し、それらの延出部が、吸収性コア４０の下方に巻き下げられて、吸収性コア４０の非肌対向面（裏面シート３との対向面）の全域を被覆している。吸収性コア４０とコアラップシート４１との間は、接着剤等の公知の接合手段により接合されていても良い。
【００１７】
表面シート２及び裏面シート３は、吸収体４の縦方向Ｘに沿う両側縁それぞれから横方向Ｙの外方に延出してサイドフラップ部を形成し、該サイドフラップ部は、排泄部領域Ａにおいて横方向Ｙの外方に向かって大きく張り出しており、これにより吸収性本体５の縦方向Ｘに沿う左右両側に、一対のウイング部７，７が延設されている。表面シート２と裏面シート３とは、ウイング部７（前記サイドフラップ部）において、接着剤等の公知の接合手段によって互いに接合されている。ウイング部７は、ナプキン１をショーツ等の着衣のクロッチ部に固定する際に、着衣の非肌対向面側に折り返されて用いられるものである。
【００１８】
吸収性本体５の非肌対向面（裏面シート３の非肌対向面）には、図２に示すように、ナプキン１をショーツ等の着衣に固定する本体粘着部８が設けられている。また、ウイング部７の非肌対向面（裏面シート３の非肌対向面）には、該ウイング部７をショーツ等の着衣に固定するウイング部粘着部９が設けられている。両粘着部８，９は、不使用時には剥離シート（図示せず）によって被覆されている。
【００１９】
本実施形態のナプキン１の主たる特徴の１つとして、前記表面層と前記吸収層との間に、グリセリンを含む中間層（セカンド層、サブレイヤー等とも呼ばれる）を具備している点が挙げられる。より具体的には、図１及び図２に示すように、表面シート２と吸収体４（コアラップシート４１）との間に、前記中間層として、グリセリンを含む中間シート１０が介在されている。中間シート１０は、図１に示す如き平面視において矩形形状をなし、その長手方向を縦方向Ｘに一致させて、排泄部領域Ａ（一対のウイング部７，７の間）に配されている。中間シート１０の横方向Ｙの長さ（幅）は、吸収体４のそれと同じか、又はそれよりも短い。中間シート１０と表面シート２及び吸収体４（コアラップシート４１）それぞれとの間は、接着剤等の公知の接合手段によって全面的に又は部分的に接合されている。
【００２０】
このように、表面シート２の非肌対向面側に該表面シート２と接するように、グリセリンを含む中間シート１０を配置することにより、着用者から排泄された経血、尿等の体液が、中間シート１０にてグリセリンと混ざり合うようになり、それによって体液の肌側への蒸散が抑制され、結果として、ナプキン１の着用中のムレが抑制され、ムレに起因する肌トラブル（かゆみ、カブレ等）が防止される。また、グリセリンが含有されていることとは別に、表面層と吸収層との間に中間層が介在されていることにより、表面層に排泄された体液が吸収層側に素早く吸収されるようになり、また、吸収層に吸収された体液が表面シートに戻る、いわゆる液戻りが抑制されるようになる。
【００２１】
中間シート１０（中間シート１０におけるグリセリン含有部分）は、吸収体４の肌対向面（表面シート２側の面）の全域を被覆していても良く、一部のみを被覆していても良い。後者の場合、本実施形態のように、中間シート１０は、排泄部領域Ａに配されることが好ましい。また、例えば本発明の吸収性物品が昼用や少ない日用等、縦方向Ｘの全長が３０ｃｍ未満のナプキンやパンティライナである場合、中間シート１０は少なくとも、該吸収性物品（吸収性本体）を縦方向Ｘに二分する縦中心線（図示せず）を縦方向Ｘに跨ぐように配されることが好ましい。
【００２２】
中間シート１０は、グリセリンと、これを保持する液透過性の繊維シートとを含んで構成されている。中間シート１０は、繊維シートにグリセリンを塗布、噴霧等することにより製造することができる。中間シート１０を構成する繊維シートは、表面シート２及び吸収体４（コアラップシート４１）とは別体の紙、不織布等からなる１枚の単層構造のシートである。中間シート１０を構成する繊維シートとしては、例えば、湿式抄紙により得られた紙；カード法により製造された不織布、エアスルー不織布、レジンボンド不織布、スパンボンド不織布、メルトブローン不織布、スパンレース不織布及びニードルパンチ不織布等の種々の不織布等を用いることができる。これらの不織布には、界面活性剤等の親水化剤を用いた親水化処理が施されていても良い。中間シート１０を構成する繊維シートの坪量は、好ましくは１０ｇ／ｍ2以上、更に好ましくは１５ｇ／ｍ2以上、そして、好ましくは５０ｇ／ｍ2以下、更に好ましくは４５ｇ／ｍ2以下、より具体的には、好ましくは１０〜５０ｇ／ｍ2、更に好ましくは１５〜４５ｇ／ｍ2である。当該範囲であると、グリセリンを十分量保持させることができるとともに、着用感を良好に保つことが容易となる。
【００２３】
中間シート１０におけるグリセリンの含有量は、中間シート１０の全質量に対して、好ましくは６０質量％以上、更に好ましくは１００質量％以上、そして、好ましくは３００質量％以下、更に好ましくは２５０質量％以下、より具体的には、好ましくは６０〜３００質量％、更に好ましくは１００〜２５０質量％である。グリセリンの含有量が前記下限値（６０質量％）以上であると、排泄量が多いときや長時間着用時であっても体液の蒸散抑制効果が高く、蒸れ抑制効果が得られ易い。一方、グリセリンの含有量が前記上限値（３００質量％）以下であると、初期吸収時から通液性が良好に保たれて、ナプキン表面に液が溜まり難くなるので、カブレ防止や不快感抑制の効果が得られやすいという長所がある。
【００２４】
また、吸収性物品（ナプキン１）の吸収容量１ｇに対するグリセリンの含有量は、好ましくは０．５％以上、より好ましくは１％以上、更に好ましくは２％以上であり、また、好ましくは１０％以下、より好ましくは８％以下、更に好ましくは６％以下であり、より具体的には、好ましくは０．５％以上１０％以下、より好ましくは１％以上８％以下、更に好ましくは２％以上６％以下である。当該範囲であると、排泄量が多いときであっても高い蒸れ抑制効果が得られやすく、且つ、長時間着用時においてもべとつき感等の不快感が少なく、良好な着用感が得られやすい。
吸収性物品の吸収容量は、以下のようにして測定される。
【００２５】
〔吸収容量の測定方法〕
測定対象の吸収性物品における吸収体に対して、高吸水性樹脂の吸水試験法であるＪＩＳ  Ｋ  ７２２３−１９９６に準拠して吸収容量の測定を行う。吸収性物品（ナプキン１）から吸収体を取り出し、２５℃に調温した生理食塩水（０．９質量％塩化ナトリウム水）に全体が浸かるように浸漬させる。浸漬開始から１０分後に吸収体を生理食塩水から取り出し、遠心脱水器（コクサン（株）、型式１３０ｃ特型）を用いて脱水する。脱水条件は８００ｒｐｍ×５分とする。脱水後、試料の質量を測定し、次式に従って遠心保持量（単位：ｇ／ｇ）を算出し、その算出値を当該吸収性物品の吸収容量とする。次式中、各質量はｇ単位である。
遠心保持量＝（遠心脱水後の吸収体の質量−吸水前の吸収体の質量）／吸水前の吸収体の質量
測定は５回行い、上下各１点の値を除外し、残る３点の平均値を測定値とした。尚、測定は２３±２℃、湿度５０±５％で行い、測定の前には試料である吸収体を測定と同じ環境で２４時間以上保存する。
【００２６】
また、本実施形態のナプキン１の主たる特徴の１つとして、グリセリンを含む中間シート１０（中間層）を具備することに加えて更に、図２に示すように、表面シート２（表面層）の肌対向面側が凹凸形状をなしている点が挙げられる。表面シート２の肌対向面側が凹凸形状をなしていることにより、表面シート２の肌対向面側が凹凸形状をなしていない平坦面である場合に比して、ナプキン１の着用者の肌と表面シート２との接触面積が低減するので、これに隣接する中間シート１０に含まれるグリセリンあるいは吸収体４に一旦吸収された体液の、着用者の肌側への移行が効果的に抑制され、それによって、前述したグリセリンによる作用効果（経血、尿等の体液の蒸散抑制）が一層安定的に奏されるようになり、また、表面シート２の肌対向面のドライ感が向上する。
【００２７】
また、表面シート２の肌対向面側が凹凸形状をなしていることによる他の効果として、表面シート２自体による体液の肌側への蒸散抑制効果が挙げられる。従って、本実施形態のナプキン１によれば、表面シート２と吸収体４との間にグリセリンを含む中間シート１０を具備していること、及び、表面シート２の肌対向面側が凹凸形状をなしていることにより、体液の肌側への蒸散が効果的に抑制され、結果として、ナプキン１の着用中のムレが効果的に抑制され、ムレに起因する肌トラブル（かゆみ、カブレ等）が効果的に防止される。
【００２８】
図２に示すように、表面シート２の肌対向面側は、多数の凸部２１及び凹部２２を有する凹凸形状となっている。凹部２２は、熱エンボス加工、超音波エンボス加工等のエンボス加工によって形成されたエンボス部からなり、凹部２２においては表面シート２の構成繊維が熱及び／又は圧力によって結合している。凸部２１は凹部２２，２２間に位置している。一方、表面シート２の非肌対向面側（中間シート１０との対向面側）は、実質的に凹凸形状をなしていない平坦面となっている。
【００２９】
本実施形態においては、凸部２１には繊維が充填されており、即ち、凸部２１は中実である。このように、表面シート２の凹凸形状を構成する凸部２１内が、該表面シート２の構成繊維で満たされていると、後述する表面シート２Ｂ（図４参照）あるいは２Ｃ（図５参照）のように、凸部２１が中空である場合に比して、前述した、表面シート２自体による体液の肌側への蒸散抑制効果をより確実に奏されるようになる。
【００３０】
また、本実施形態においては、凹部２２は、前述したようにエンボス加工によって形成されたエンボス部からなり、それに起因して、エンボス加工が施されていない凸部２１に比して、高密度である。つまり、凹部２２は圧密化されていて、表面シート２における他の部分（凸部２１）に比して厚みが小さく且つ高密度になっており、従って、表面シート２は、凹部２２が凸部２１に比して繊維密度が高いことに起因する、繊維の粗密構造を有している。このように、表面シート２の肌対向面側の凹凸形状を構成する凹部２２が相対的に高密度であると、液の肌側への蒸発抑制によりムレを軽減できるという効果が奏される。
【００３１】
表面シート２（表面層）としては、この種の吸収性物品において従来用いられている液透過性の表面シートを用いることができ、例えば、カード法により製造された不織布、エアスルー不織布、スパンボンド不織布、メルトブローン不織布、スパンレース不織布及びニードルパンチ不織布等の種々の不織布；開口手段によって液透過可能とされたフィルム等が挙げられる。これらの不織布やフィルムには、界面活性剤等の親水化剤を用いた親水化処理が施されていても良い。表面シート２の坪量は、好ましくは２０ｇ／ｍ2以上、更に好ましくは３５ｇ／ｍ2以上、そして、好ましくは１００ｇ／ｍ2以下、更に好ましくは８０ｇ／ｍ2以下、より具体的には、好ましくは２０〜１００ｇ／ｍ2、更に好ましくは３５〜８０ｇ／ｍ2である。表面シート２の具体例については後述する。
【００３２】
また、裏面シート３（防漏層）は、透湿性を有していることが好ましい。裏面シート３が透湿性を有していることにより、着用中のナプキン１の内部に溜まった湿気が、透湿性の裏面シート３を介してナプキン１の外部に排出されるようになるため、前述した、中間シート１０及び表面シート２の組み合わせによる体液の蒸散抑制効果と相俟って、ムレの一層の低減が図られる。ここで「透湿性」とは、ＪＩＳ  Ｚ０２０８やＡＳＴＭ  Ｅ３９８に開示された概念の如く、気流移動を伴わず、熱力学の第二法則に従って、高湿度側から低湿度側に水蒸気拡散する性質であり、極微小の開孔を有する多孔フィルムや、水と相溶性の高い無孔フィルムで発現する性質である。透湿性を有する裏面シート３としては、例えば、透湿性フィルム単独、又は透湿性フィルムと不織布との積層体、撥水性不織布等を用いることができる。ナプキン１の内部に溜まった湿気（着装内湿度）を速やかに取り除く観点から、裏面シート３は、透湿性に加えて更に、通気性を有することが好ましい。ここで「通気性」とは、文字通り通気する性質であり、典型的には各種布地のように気流が通る性質である。裏面シート３の坪量は、好ましくは１８ｇ／ｍ2以上、更に好ましくは３５ｇ／ｍ2以上、そして、好ましくは１００ｇ／ｍ2以下、更に好ましくは８０ｇ／ｍ2以下、より具体的には、好ましくは１８〜１００ｇ／ｍ2、更に好ましくは３５〜８０ｇ／ｍ2である。
【００３３】
また、吸収体４を構成する吸収性コア４０（液吸収層）としては、この種の吸収性物品に通常用いられるものであれば特に制限なく用いることができ、例えば、木材パルプ、親水化処理された合繊繊維等の繊維集合体、又は該繊維集合体に粒子状の吸水性ポリマーを保持させたもの等を用いることができる。また、吸収性コア４０を被覆するコアラップシートとしては、例えば、液透過性の薄紙、各種不織布、開孔フィルム等を用いることができる。
【００３４】
また、吸収体４（吸収性コア４０）としては、ナプキン１の薄型化、低剛性化の観点から、前記の繊維集合体（繊維材料を積繊してなる積繊体）ではなく、該繊維集合体に比して厚みが薄く低剛性の吸収性シートを用いることもできる。この吸収性シートとしては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。吸収性シートの好ましい形態として、パルプ繊維の集合体に吸水性ポリマーを固定させたもの、エアレイド法で製造された乾式パルプシート、２枚の不織布間に粒子状の吸水性ポリマーを散布したものが挙げられる。吸収体４（吸収性コア４０）を構成する吸収性シートは１枚でも複数枚でも良く、また、吸収性シートは折り畳んで用いることができる。例えば、ナプキン１よりも横方向Ｙの長さが長い、１枚の平面視矩形形状の吸収性シートを用い、その縦方向Ｘに沿う両側部を該吸収性シートの非肌対向面側に折り返し、その折り返しによって形成された２枚の吸収性シートの積層構造を有する、折り畳まれた吸収性シートを、吸収体４として用いることができる。吸収性シートの１枚あたりの厚みとしては、好ましくは０．１ｍｍ以上、更に好ましくは０．３ｍｍ以上、そして、好ましくは２ｍｍ以下、更に好ましくは１．５ｍｍ以下、より具体的には、好ましくは０．１ｍｍ以上２ｍｍ以下、更に好ましくは０．３ｍｍ以上１．５ｍｍ以下である。
【００３５】
図３〜図６には、本発明に係る表面シートの実施形態が示されている。後述する表面シートの実施形態については、前記実施形態（表面シート２）と異なる構成部分を主として説明し、同様の構成部分は同一の符号を付して説明を省略する。特に説明しない構成部分は、前記実施形態についての説明が適宜適用される。
【００３６】
図３に示す表面シート２Ａ（表面層）は、着用者の肌に近い側に位置する第１繊維層２３Ａと、着用者の肌から遠い側に位置する第２繊維層２４Ａとを有し、両繊維層２３Ａ，２４Ａが、部分的に形成された多数の接合部（凹部２２）によって厚さ方向に一体化されており、第１繊維層２３Ａにおける、複数の該接合部（凹部２２）どうし間に位置する部分が凸状に隆起して、肌対向面側の凹凸形状の凸部２１を形成している。
【００３７】
凸部２１は、第１繊維層２３Ａの構成繊維及び第２繊維層２４Ａの構成繊維によって形成されている。凸部２１は、複数の凹部２２（接合部）によって取り囲まれている。凸部２１の突出を一層顕著なものとする観点からは、凸部２１は３つ以上の凹部２２によって取り囲まれていることが好ましい。この場合、凸部２１は、複数の凹部２２によって囲まれた領域の略中央部に頂部を有していることが好ましい。
【００３８】
凹部２２（接合部）は、表面シート２Ａを第１繊維層２３Ａ側（肌対向面側）から目視にて平面視したときに、表面シート２Ａの全域に亘って多数が散点状に規則的に分散配置されており、またほぼ均一に分散されている。複数の凹部２２が一つの列をなすように配置されており、該列が多列に配置されている場合には、一つの列における凹部２２は、該列に隣接する列に含まれる凹部２２と互い違いに配置されて、凹部２２全体として千鳥模様の配置になっていても良く、あるいは各列における凹部２２が縦横の位置を揃えて配置されていても良い。
【００３９】
凹部２２の平面視形状は特に制限されず、円形、三角形、矩形、六角形等の多角形、楕円形、十字形等の１種を単独で又は２種以上を組み合わせて用いることができる。凹部２２は、第１繊維層２３Ａの原反であるウェブ又は不織布と、第２繊維層２４Ａの原反であるウェブ又は不織布とを積層し、その積層体に、熱を伴うか又は伴わないエンボス加工、超音波エンボス加工等のエンボス加工を施して形成されている。凹部２２は、エンボス加工に代えて、両繊維層２３Ａ，２４Ａ間を、接着剤を介して接合することで形成することもできる。
【００４０】
表面シート２Ａにおいて凹部２２が凸部２１よりも密度が高く形成されていると、排泄された体液が凹部２２を通じて、表面シート２Ａの下側（非肌対向面側）に位置する中間シート１０を介して、吸収体４へと引き込まれ易くなる。一方で、中間シート１０に配されているグリセリンは、着用者の肌から離間している凹部２２から該肌へは移行しにくくなっており、それによって、体液が凹部２２に到達した際に、中間シート１０の平面方向への拡散と、吸収体４側への厚み方向の移動とが起きるので、体液由来の蒸散が抑制され易くなる。また、相対的に低密度の凸部２１は、体液を肌から遠ざけるのに有効に作用する。これらの観点から、表面シート２の全面積に対する凹部２２の面積の比率は、０．１以上０．５以下が好ましく、更に０．２以上０．４以下であることが好ましい。同様の観点から、凸部２１と凹部２２との高さの差、つまり、凹部２２の底部から凸部２１の頂部までの距離は、０．３ｍｍ以上が好ましく、特に０．５ｍｍ以上であることが好ましく、また、着用時の違和感を感じ難くする観点からは５ｍｍ以下が好ましく、特に３ｍｍ以下が好ましい。
【００４１】
表面シート２Ａの坪量は、中間シート１０の坪量以上であることが、中間シート１０のグリセリンが肌へ一層移行しにくくなって、ナプキン１の長時間着用時におけるムレ抑制に有効となるので好ましい。また、中間シート１０の密度は、表面シート２Ａの密度以上であることが、中間シート１０でのグリセリンの保持の観点から好ましい。但し、表面シート２Ａの凹部２２が高密度化されている（凸部２１に比して高密度である）形態の場合には、凹部２２を除いた、表面シート２Ａの他の部分における密度がそのようになっていればよい。
【００４２】
第１繊維層２３Ａには熱融着性繊維が含まれている。この繊維は、高融点樹脂からなる第１樹脂成分と、該第１樹脂成分の融点より低い融点又は軟化点を有する低融点樹脂からなる第２樹脂成分からなる２成分系複合繊維である。この複合繊維としては、例えば芯鞘型（同心芯鞘型及び偏心芯鞘型の双方を含む）のものであるか、又はサイド・バイ・サイド型のものを用いることができる。複合繊維の熱融着性は、主として第２樹脂成分によって発現する。従って、複合繊維が例えば芯鞘型のものである場合には、第２樹脂成分は、鞘を構成する成分となる。
【００４３】
第１繊維層２３Ａに含まれる熱融着性繊維は、熱伸長性繊維が熱処理によって伸長したもの、つまり、伸長した後の熱伸長性繊維からなることが好ましい。また、第１繊維層２３Ａは、熱融着性繊維のみから構成されていても良く、あるいは、これに加えて熱融着性を有さない繊維を含んでいても良い。また第１繊維層２３Ａは、第２繊維層２４Ａに含まれる捲縮した潜在捲縮性繊維をはじめとする熱収縮性繊維（つまり収縮後の熱収縮性繊維）を含有しないことが好ましい。
【００４４】
凸部２１は、その肌対向面側（上側）が第１繊維層２３Ａの構成繊維で主として構成され、且つその非肌対向面側（下側）が第２繊維層２４Ａの構成繊維で主として構成されている。そして、図３（ｂ）に示す如き、凸部２１の頂部と凹部２２（接合部）とを含む面での縦断面視において、第２繊維層２４Ａが第１繊維層２３Ａの側へ向けて隆起して第１繊維層２３Ａ内に入り込んでいる。これに加えて、同断面視において、第１繊維層２３Ａの非肌対向面側（下側）の面と第２繊維層２４Ａの肌対向面側（上側）の面とが密着している。更に、凸部２１の内部は、両繊維層２３Ａ，２４Ａの構成繊維で満たされている。凸部２１がこのような構造になっていることで、表面シート２Ａの肌対向面側に経血等の体液が排泄された場合、その体液は、凸部２１の内部を素早く透過することができる。この理由は、第２繊維層２４Ａの構成繊維が第１繊維層２３Ａへ向けて隆起して第１繊維層２３Ａの構成繊維を言わば押し上げる状態になっているので、第１繊維層２３Ａと第２繊維層２４Ａとの密着が良好になるからである。また、このような構造の凸部２１は、吸収体に一旦吸収された液の逆戻りの防止にも効果的である。
【００４５】
凸部２１は、それに含まれる熱融着性繊維が、略アーチ状の上に凸の滑らかな曲線を描くような形態になっている。この滑らかな曲線は、熱融着性繊維の原料である熱伸長性繊維が、熱処理によって、上に凸の曲線を描くように伸長することで形成される。そしてこの伸長によって、第２繊維層２４Ａの構成繊維が第１繊維層２３Ａ内に入り込む。
【００４６】
第１繊維層２３Ａ及び第２繊維層２４Ａの坪量は、それらの層の厚みとの関係で、各層の繊維密度が、第１繊維層２３Ａ＜第２繊維層２４Ａとなるような値とすることが好ましい。具体的には、第１繊維層２３Ａの坪量は、好ましくは１０ｇ／ｍ2以上、更に好ましくは２０ｇ／ｍ2以上、そして、好ましくは５０ｇ／ｍ2以下、更に好ましくは４０ｇ／ｍ2以下、より具体的には、好ましくは１０〜５０ｇ／ｍ2、特に２０〜４０ｇ／ｍ2である。また第２繊維層２４Ａの坪量は、好ましくは２０ｇ／ｍ2以上、更に好ましくは３０ｇ／ｍ2以上、そして、好ましくは６０ｇ／ｍ2以下、更に好ましくは５０ｇ／ｍ2以下、より具体的には、好ましくは２０〜６０ｇ／ｍ2、特に３０〜５０ｇ／ｍ2である。
【００４７】
前述した表面シート２Ａの構成をまとめると次のようになる。即ち、肌対向面側に第１繊維層２３Ａを有し、これに隣接する第２繊維層２４Ａを非肌対向面側に有し、前記第１繊維層２３Ａは、芯鞘型の熱融着性複合繊維を含み、該熱融着性複合繊維は、熱伸長性繊維が熱処理によって伸長したものからなり、前記第２繊維層２４Ａは、捲縮性繊維を含む繊維層からなり、前記第１繊維層２３Ａと前記第２繊維層２４Ａとが多数の接合部（凹部２２）によって接合されており、多数の該接合部に囲まれて該第１繊維層２３Ａの肌対向面側に隆起する凸部２１が、該第１繊維層２３Ａ側の肌対向面側に多数形成されており、前記凸部２１において、前記第２繊維層２４Ａは前記第１繊維層２３Ａの肌対向面側へ向けて隆起して該第１繊維層２３Ａ内に入り込んでおり、前記凸部２１において、前記第２繊維層２４Ａの非肌対向面側の面が平坦である。
【００４８】
表面シート２Ａは、下記工程１〜４に従って製造することができる。下記工程中、「上層」は第１繊維層２３Ａ又はその前駆体に相当し、「下層」は第２繊維層２４Ａ又はその前駆体に相当する。表面シート２Ａは、例えば特開２０１２−５７０１号公報に記載の製造方法に従って製造することができる。
【００４９】
・工程１：熱伸長性の芯鞘繊維を原料として用いてカード法でウェブを形成する。
・工程２：前記ウェブをエアスルー方式の熱風処理に付して前記熱伸長性の芯鞘繊維の交点を熱融着させると共に、該熱伸長性の芯鞘繊維を熱伸長させないか又は再度の熱伸長の余地を残した状態で該熱伸長性の芯鞘繊維を伸長させてなる上層不織布を形成する。
・工程３：前記上層不織布の形成とは別に、潜在捲縮性繊維を原料として用いてカード法で下層ウェブを形成し、前記上層不織布と該下層ウェブとを重ね合わせて、両者を複数の接合部によって接合して積層ウェブを得る。
・工程４：前記積層ウェブをエアスルー方式の熱風処理に付して、前記下層ウェブに含まれる前記潜在捲縮性繊維を捲縮させるとともに、前記上層不織布中の前記熱伸長性の芯鞘繊維を熱伸長させる。
【００５０】
図４に示す表面シート２Ｂ（表面層）においては、肌対向面側の凹凸形状を構成する凸部２１が中空である。更に説明すると、表面シート２Ｂは、単層構造の不織布からなるもので、凹部２２以外の部分において着用者の肌側に向けて突出しており凸部２１を形成している。凹凸形状を構成する凸部２１と凹部２２とは、交互に且つ一方向に列をなすように配置されている。凸部２１内には、表面シート２Ｂの構成繊維が実質的に存在していない空間２５が形成されている。凹部２２は、実質的に凹凸の無い平坦状である。表面シート２Ｂは、公知のエンボス加工を利用して形成することができ、例えば、表面シート原反（凹凸の無い平坦状のシート）を、周面が凹凸形状となっている第１ロールと該第１ロールの凹凸形状に対して噛み合い形状となっている凹凸形状を周面に有する第２ロールとの噛み合わせ部に噛み込ませて、該表面シート原反を凹凸賦形することにより得られる。
【００５１】
このように、表面シート２Ｂの凹凸形状を構成する凸部２１が中空であると、前述した表面シート２（図２参照），２Ａ（図３参照）のように、凸部２１が中実である場合に比して、表面シート２Ｂの非肌対向面側に位置してこれに隣接する中間シート１０に含まれるグリセリンの、着用者の肌側への移行が効果的に抑制されるので、前述したグリセリンによる作用効果（経血、尿等の体液の蒸散抑制）が一層安定的に奏されるようになり、また、表面シート２の肌対向面のドライ感が向上する。
【００５２】
図５に示す表面シート２Ｃ（表面層）は、着用者の肌に近い側に位置する第１繊維層２３Ｃと、着用者の肌から遠い側に位置する第２繊維層２４Ｃとを有する２層構造の不織布であり、両繊維層２３Ｃ，２４Ｃが、部分的に形成された多数の接合部（凹部２２）によって厚さ方向に一体化されており、第１繊維層２３Ｃにおける、複数の該接合部（凹部２２）どうし間に位置する部分が凸状に隆起して、肌対向面側の凹凸形状の凸部２１を形成している。第１繊維層２３Ｃと第２繊維層２４Ｃとは、互いに組成が異なっていても良く、同じであっても良い。
【００５３】
第１繊維層２３Ｃは、前記表面シート２Ｂ（図４参照）と同様に構成されており、その一面（表面シート２Ｃの肌対向面を形成する面）に凸部２１と凹部２２とによる凹凸形状を有しているのに対し、第２繊維層２４Ｃは、そのような凹凸形状を有しておらず、実質的に凹凸の無い平坦状であり、そのため、表面シート２Ｃの非肌対向面（中間シート１０との対向面）は、凹凸の無い平坦面となっている。第１繊維層２３Ｃと第２繊維層２４Ｃとは、複数の凹部２２それぞれにおいて、融着、接着剤等の公知の接合手段により部分的に接合されており、各凹部２２は、第１繊維層２３Ｃと第２繊維層２４Ｃとの接合部となっている。第１繊維層２３Ｃは、凹部２２（接合部）以外の部分において着用者の肌側に向けて突出して中空の凸部２１を形成しており、凸部２１内には空間２５が形成されている。表面シート２Ｃを構成する両繊維層２３Ｃ，２４Ｃの坪量は、それぞれ、表面シート２Ｂの坪量と同じに設定することができる。
【００５４】
図６に示す表面シート２Ｄ（表面層）は、単層構造の不織布からなるもので、図６（ａ）に示すように、一方向（ナプキン１の縦方向Ｘ）に延びる畝部２６（凸部）及び溝部２７（凹部）を有し、畝部２６及び溝部２７が表面シート２Ｄの肌対向面側の凹凸形状を構成している。畝部２６と溝部２７とは、それらの延びる方向である縦方向Ｘと直交する横方向Ｙに交互に配されている。畝部２６は、表面シート２Ｄにおける相対的に厚みの大きな部位から構成されており、溝部３６は、表面シート２Ｄにおける相対的に厚みの小さな部位から構成されている。その結果、畝部２６の実質厚みは、溝部２７の厚みよりも大きい。ここで実質厚みとは、表面シート２Ｄの裏面から各々の最上部までの長さ（見掛け厚み）ではなく、表面シート２Ｄの構成繊維が存在する部分の長さを意味する。
【００５５】
図６（ｂ）に示すように、畝部２６及び溝部２７は、それぞれ、表面シート２Ｄの構成繊維で満たされており、中実である。但し、畝部２６と溝部２７とは繊維量が異なっており、溝部２７に比べて畝部２６の方が繊維量が実質的に多い。畝部２６は、図６（ｂ）に示す如き、その延びる方向と直交する方向（ナプキン１の横方向Ｙ）に沿う断面において、肌対向面側（図中の上面側）は、上側（着用者の肌側）に凸の滑らかな曲線を描く輪郭となっており、非肌対向面側（図中の下面側）は、下側（中間シート１０側）に凸の滑らかで且つ緩やかな曲線を描く輪郭となっている。畝部２６における肌対向面側は、非肌対向面側よりも高く盛り上がっており、これが周期的に連続している。これによって表面シート２Ｄの肌対向面側は、横方向Ｙに沿って波形形状になっている。従って、表面シート２Ｄの肌対向面側が着用者の肌と接する場合には、畝部２６の頂部及びその近傍の領域が部分的に接触することになり、全面接触に起因する蒸れによるべたつき感や、こすれに起因する刺激感が低減される。また、着用者から排泄された液が、着用者の肌に付着し難くなる。
【００５６】
尚、畝部２６の断面形状は図６（ｂ）に示す如き形状に限られず、例えば、図６（ｃ）に示すように、非肌対向面側が、肌対向面側に凸の滑らかで且つ緩やかな曲線を描く輪郭となっている形状、あるいは図６（ｄ）に示すように、非肌対向面側が平坦である形状もある。
【００５７】
畝部２６（凸部）の坪量は、好ましくは３０ｇ／ｍ2以上、更に好ましくは４０ｇ／ｍ2以上、そして、好ましくは１５０ｇ／ｍ2以下、更に好ましくは１００ｇ／ｍ2以下、より具体的には、好ましくは３０〜１５０ｇ／ｍ2、更に好ましくは４０〜１００ｇ／ｍ2である。
溝部２７（凹部）の坪量は、好ましくは１０ｇ／ｍ2以上、更に好ましくは１５ｇ／ｍ2以上、そして、好ましくは７０ｇ／ｍ2以下、更に好ましくは５０ｇ／ｍ2以下、より具体的には、好ましくは１０〜７０ｇ／ｍ2、更に好ましくは１５〜５０ｇ／ｍ2である。
【００５８】
以上、本発明をその好ましい実施形態に基づき説明したが、本発明は前記実施形態に制限されない。例えば、前記実施形態においては、表面シート２（表面層）と吸収性コア４０（吸収層）との間に、複数（２枚）のシート状部材として、中間シート１０及びコアラップシート４１が配され、そのうちの中間シート１０のみがグリセリンを含んでいたが、コアラップシート４１のみがグリセリンを含んでいても良く、即ち、表面層と吸収層との間に配されている複数のシート状部材のうちの一部のみがグリセリンを含んでいても良く、あるいは、両シート１０，４１がグリセリンを含んでいても良く、即ち、表面層と吸収層との間に配されている複数のシート状部材の全てがグリセリンを含んでいても良い。また、前記実施形態においては、コアラップシート４１は、１枚の連続したシートであったが、吸収性コア４０の肌対向面を被覆する第１のコアラップシートと、吸収性コア４０の非肌対向面を被覆する第２のコアラップシートとの２枚を含んで構成されていても良く、その場合、該第１のコアラップシートにグリセリンを含有させても良い。
【００５９】
また、前記実施形態においては、吸収性本体５の肌対向面（表面シート２の肌対向面）に、表面シート２及び吸収体４が裏面シート３側に向かって一体的に凹陥してなる溝が形成されていても良く、この溝は、例えば図１に示す如き平面視において、縦方向Ｘに長い閉じた環状とすることができる。この溝は、熱を伴うか又は伴わない圧搾加工、あるいは超音波エンボス等のエンボス加工により常法に従って形成することができ、該溝においては、表面シート２及び吸収体４が熱融着等により一体化している。また、前記実施形態において、吸収性本体５の肌対向面における縦方向Ｘに沿う両側部に、図１に示す如き平面視において吸収体４の縦方向Ｘに沿う左右両側部に重なるように、撥水性の不織布等からなる一対のサイドシートを、吸収性本体５の縦方向Ｘの略全長に亘って配しても良い。
【００６０】
また本発明の吸収性物品には、生理用ナプキンの他、パンティライナ（おりものシート）、失禁パッド、使い捨ておむつ等が含まれる。前述した本発明の実施形態に関し、更に以下の付記を開示する。
【実施例】
【００６１】
以下、本発明を実施例により更に具体的に説明するが、本発明は斯かる実施例に限定されるものではない。
【００６２】
〔実施例１〕
図１及び図２に示すナプキン１と同様の基本構成を有する生理用ナプキンを作製した。
表面層として、下記のようにして作製した、前記表面シート２Ａ（図３参照）と同様の基本構成を有する表面シートを用いた。
防漏層としては、坪量３７ｇ／ｍ2の透湿性のポリエチレンフィルムからなる裏面シートを用いた。
吸収体を構成する液吸収層として、坪量２００ｇ／ｍ2のパルプ繊維の積繊体に吸水性ポリマー（アクアリックＷ４：日本触媒（株）製）を坪量４０ｇ／ｍ2保持させた吸収性コアを用い、該吸収性コアの全面を坪量１６ｇ／ｍ2の吸収紙からなるコアラップシートで覆ったものを、吸収体として使用した。吸収体の大きさは、長手方向（縦方向）２００ｍｍ、幅方向（横方向）７５ｍｍであった。
後述する方法で作製した繊維シートの一面側全体に、グリセリンをスプレーにより噴霧し、中間シートを得た。得られた中間シートにおけるグリセリンの含有量は、該中間シートの全質量に対して１２０質量％（塗付量０．６ｇ）であった。グリセリンの含有量は、吸収体の吸収容量に対して３．２％であった。
表面シートと中間シートとは、両シート間に間欠的に塗布したＳＥＳＢ系のホットメルト接着剤により、互いに部分的に接合させた。ホットメルト接着剤の塗付量は５ｇ／ｍ2であった。
【００６３】
＜実施例１で用いた表面シートの作製＞
（１）上層ウェブ及び上層不織布の作製
熱伸長性繊維として、ポリプロピレン（ＰＰ）を芯成分、ポリエチレン（ＰＥ）を鞘成分とした熱融着性芯鞘型複合繊維（伸長前の繊度２．９ｄｔｅｘ、伸長前の繊維長５１ｍｍ、熱伸長開始温度６０℃、１３０℃における熱伸長率１０％）を原料として用いた。この繊維を用いてカード法によって坪量２２ｇ／ｍ2のカードウェブ（上層ウェブ）を作製した。このカードウェブに対して１３８℃±５℃の熱風をエアスルー方式で１０秒間通過させて、繊維間の交点を熱融着させるとともに、繊維の伸長を生じさせた。繊維の伸長は、該繊維が完全に伸びきる前に終了させた。このようにして上層不織布を得た。
【００６４】
（２）下層ウェブの作製
大和紡績株式会社製の潜在螺旋状捲縮繊維（開発名：ＣＰＰ繊維（芯：ポリプロピレン樹脂／鞘：ポリプロピレン系樹脂）、捲縮前の繊度２．２ｄｔｅｘ、捲縮前の繊維長５１ｍｍ、熱収縮開始温度１１５℃）を原料として用いた。この繊維を用いてカード法によって２２ｇ／ｍ2のカードウェブ（下層ウェブ）を作製した。
【００６５】
（３）エンボス加工
前記上層不織布と前記下層ウェブとを重ね合わせ、超音波エンボス法によって両者を部分的に接合し、積層ウェブを得た。接合によって形成された接合部は、面積が３．０７ｍｍ2の十字形状であり、エンボス面積率（完成した表面シートにおけるエンボス面積率）は１２．５％であった。
【００６６】
（４）熱処理
恒温乾燥機中に前記積層ウェブを載置し、１２５℃±５℃で１分間熱処理を行った。これによって前記上層不織布中の熱伸長性繊維を伸長させると共に、前記下層ウェブ中の潜在捲縮性繊維を収縮させた。これによって、目的とする表面シートを得た。表面シートの坪量は２５ｇ／ｍ2であった。
【００６７】
＜実施例１で用いた繊維シート（グリセリンを含有していない点以外は中間シートと同じシート）の作製＞
繊維径２．２ｄｔｅｘのポリエチレン／ポリエチレンテレフタレートの複合樹脂からなる合成繊維をカード機に通してウェブとし、該ウェブを、熱風吹付装置に導入し、エアスルー加工による熱風処理を行い、その後ロールエンボスして繊維シートを得た。得られた繊維シートは、厚みが０．２ｍｍ、坪量２５ｇ／ｍ2であった。
【００６８】
〔比較例１〕
前記繊維シートにグリセリンを含有させずにそのまま中間シートとして用いた以外は実施例１と同様にして、生理用ナプキンを作製した。
【００６９】
〔比較例２〕
肌対向面側及び非肌対向面側の何れもが凹凸形状をなしていない扁平な表面シートとして、実施例１で使用した前記繊維シート（グリセリンを含有していない点以外は中間シートと同じシート）を用いた以外は実施例１と同様にして、生理用ナプキンを作製した。
【００７０】
〔比較例３〕
中間シートにはグリセリンを含有させず（中間シートとして実施例１で使用した前記繊維シートを用い）、代わりに実施例１と同量のグリセリンを表面シートに含有させた以外は実施例１と同様にして、生理用ナプキンを作製した。
【００７１】
〔参考例１〕
グリセリンに代えて多糖類の一種であるグァーガムを０．６ｇ中間シートに含有させた以外は実施例１と同様にして、生理用ナプキンを作製した。
【００７２】
〔評価〕
実施例、比較例及び参考例の生理用ナプキンについて、下記方法により液蒸散量を測定した。それらの結果を下記表１に示す。
【００７３】
＜液蒸散量の測定方法＞
測定対象の生理用ナプキンを平面状に拡げ、表面シートを上に向けて水平面上に固定した無加圧の状態で、吸収体の排泄部対向部である中心部における該表面シートの外面（肌対向面）に注入口の断面積が９ｃｍ2である楕円形状の注入口を当て、該注入口から生理食塩水６ｇを一気に注入した。時間経過ごとに、ナプキンの質量減少量を測定し、重量減少量を液蒸散量とみなした。尚、本実験及び測定は室温２３℃、湿度５０％条件下で行った。また、測定対象の生理用ナプキンは、測定と同じ環境下に１２時間静置して順化したものを使用した。本測定結果では、前記液蒸散量の数値が小さいほど、体液の蒸散抑制効果に優れると判断でき、高評価となる。
【００７４】
【表１】
2015104646.tif 000003
【００７５】
表１から明らかなように、実施例１の液蒸散量は、各測定時間において、各比較例のそれに比して少なく、実施例１の生理用ナプキンが体液の蒸散抑制効果に優れることがわかる。このことから、着用中において経血や尿等の体液の蒸散を抑制し、ムレや肌トラブルを効果的に防止し得る吸収性物品を得るためには、表面層（表面シート）と吸収層（吸収性コア）との間に、グリセリンを含む中間層（中間シート）を配置すると共に、該表面層の肌対向面側を凹凸形状とすることが有効であることがわかる。
【００７６】
また、中間シートに増粘剤である多糖類を含有させた参考例１では、生理食塩水注入後に、該生理食塩水の著しい粘度増加が起きていたにも関わらず、蒸散抑制効果はグリセリンを使用したものの方が、測定各時間においても優れていた。また、実施例１では、参考例１ほどの生理食塩水の粘度増加がみられなかったことから、表面シート及び中間シートを生理食塩水が通過し易くなり、吸収体への到達をスムーズにすることが可能となるので、前述した本発明の技術思想が体液吸収性能や液漏れ抑制効果にとっても有利であると考えられる。
【符号の説明】
【００７７】
１  生理用ナプキン（吸収性物品）
２，２Ａ，２Ｂ，２Ｃ，２Ｄ  表面シート（表面層）
２１  凸部
２２  凹部
２３Ａ，２３Ｃ  第１繊維層
２４Ａ，２４Ｃ  第２繊維層
２６  畝部（凸部）
２７  溝部(凹部)
３  裏面シート（防漏層）
４  吸収体（液吸収層）
１０  中間シート（中間層）
Ｘ  縦方向
Ｙ  横方向
【図１】
2015104646.tif 000004
【図２】
2015104646.tif 000005
【図３】
2015104646.tif 000006
【図４】
2015104646.tif 000007
【図５】
2015104646.tif 000008
【図６】
2015104646.tif 000009